(57)【要約】【課題】  犬の散歩中の糞の処理は、道具類の嵩張るうえ操作するのに煩わしい糞取り機や不潔になり易く舗装面では掬いにくいシャベルを使って行い、しかも、散歩中それらを持ち歩かなければならない煩わしさがある。あるいは、不潔さや不快感があっても素手でペーパーを使い、手間がかかっても既存のポリ袋に移し替える方法、又は手を汚さぬよう既存のポリ袋に手を入れ袋ごとすべり易く掴みにくい状態でペーパーを持ち、糞を掴み取り、裏表をひっくり返して袋に収める方法で行っている。又、汚物やゴキブリ等の小動物の死骸の処理等も上記の道具類を使う方法以外の方法に準じて行っている。【解決手段】  指先、手先及び指部分を付加したポリ手袋の機能を持つ本発明のポリ袋を手に装着して、糞や汚物等を掴みひっくり返してそのまま本発明のポリ袋に収めて棄てるだけの方法で解決できる。  本発明のポリ袋１枚で指先の機能を使い、清潔、簡便、瞬時に処理できる。【選択図】  図１
2005095116.tif 000002
【特許請求の範囲】
【請求項１】
ポリ袋の底部に片手５本指の第２関節より先が入るようにかたち作った糞取り指先ポリ袋
【請求項２】
ポリ袋の底部に片手拇指の付け根より先の手の一部と５本指全部が入るようにかたち作った汚物取り手先ポリ袋
【請求項３】
ポリ袋の底部に片手５本指の付け根より先の指部分が入るようにかたち作った汚物取り指ポリ袋
【発明の詳細な説明】
【技術分野】
【０００１】  本発明は、犬の糞やその他の汚物を、手を汚すことのないよう保護し、しかも、指先や手先の機能をそのまま使えるように付加して簡便かつ瞬時にポリ袋に収め廃棄するための糞取り指先ポリ袋、汚物取り手先ポリ袋及び汚物取り指ポリ袋に関するものである。
【背景技術】
【０００２】  従来、犬の散歩中等の糞取りは、糞取り機なる用具や使い棄て厚紙糞取り用具を用いて行う方法、又、シャベルで掬いポリ袋に移し入れる方法、あるいは、素手でペーパーを用いて取り、ポリ袋に移し入れる方法、そしてポリ袋に手を入れて掴んだら、裏表をひっくり返してポリ袋に収める方法で行っている。
なお、吐瀉物や排水溝の汚物の付いたゴミ、又は、ゴキブリ等小動物の死骸等の汚物処理は素手かビニール手袋もしくは、使い捨てポリ手袋を用いて、ポリ袋に移し入れる方法で行っている。
【発明の開示】
【発明が解決しようとする課題】
【０００３】  糞取り機を持ちながらの犬の散歩は、糞取り機が重たくかさばるための不便さがあり、又、操作しなければ取れない煩わしさがある。使い棄て厚紙糞取り用具は、毎日使用するには高価であり、糞を掬い取る操作の煩わしさもある。シャベルで掬いポリ袋に移し入れる場合は、舗装道路面上等では掬い取りにくいうえ、ポリ袋に移し入れる手間がかかる。又、不潔なシャベルの持ち歩きや洗浄して保管する煩わしさがある。
素手でペーパーを用いて取りポリ袋に移し入れる場合は、ポリ袋に移し入れる手間がかかるうえ、手が汚れ、しかも不潔な手のまま散歩を続けなければならない不快さがある。ポリ袋に手をいれポリ袋ごと糞を掴んでポリ袋の内側と外側をひっくり返してポリ袋に収める方法は、指先の機能がすべるポリ袋に制限されるため、掴み取りにくい、ましてや、ペーパーで間接的に掴もうとするならなおさらである。
吐瀉物、汚物、小動物の死骸等の処理を素手で行いポリ袋に移し入れる方法は、手に汚物が付いてしまう不潔さと不快さがあり、また、移し入れる手間がかかる。掃除用ビニール手袋を用いて取り、ポリ袋に移し入れる方法は、移し入れる手間とビニール手袋を清潔に保管する煩わしさも生じる。
使い捨てポリ手袋を使用してポリ袋に移し入れる方法は、ポリ手袋とポリ袋の２種類を使用するため不経済であり、又、移し入れる手間がかかる。なお、使い捨てポリ手袋で糞や汚物を掴んでひっくり返すことは手首にかけて細くなっているポリ手袋では物理的に困難である。
【課題を解決するための手段】
【０００４】  ポリ袋の底部に片手５本指の第２関節より先が入るようにかたち作ったポリ袋、ポリ袋の底部に片手拇指の付け根より先の手の一部と５本指全部が入るようにかたち作ったポリ袋、及びポリ袋の底部に片手５本指の付け根より先が入るようにかたち作ったポリ袋を手に装着して処理することによって解決できる。
【発明の効果】
【０００５】  本発明のポリ袋は、入れ口より手を入れ、ポリ手袋に手を入れるように底部の指先部又は手先部に指先又は手先を合わせて差し入れ、必要に応じてペーパー等を使用して、糞又は汚物を掴み、掴んだまま、もう片方の手で本発明のポリ袋の入れ口を軽く持ち内側と外側をひっくり返すように引き抜くと本発明のポリ袋に糞や汚物が収まる。後は本発明のポリ袋に入った糞や汚物をそのまま捨てることができる。
本発明のポリ袋を使用することにより、犬の散歩の際、素手で糞を処理する不潔さや不快感、糞取り器を持つ不便さや操作の煩わしさ、舗装道路面上等の糞をシャベルで掬い取る時の取りにくさ、取った糞を一般のポリ袋に移し入れる手間等をなくすことができる。
清潔で短時間にかつ簡便に煩わしさもなく本発明のポリ袋１枚で糞の処理ができる。そして、糞取り機やシャベルの洗浄や保管の手間や煩わしさを省くことができる。又、汚物や小動物の死骸等をペーパー類を持ってかき寄せ、つまみ取る手指の動きはポリ手袋を使用した時と同じ感覚で機能し、しかも手首部分が細くなっているポリ手袋と違い、袋状のため汚物を掴んだまま容易に本発明のポリ袋の裏表をひっくり返すことができ、手を汚すことなく移し入れる手間もなく数秒で本発明のポリ袋に汚物を取り入れることができ、そのまま捨てることができる。
ポリ袋に第２関節より先の指先を設けるか、あるいは手先又は指部分のみ全部を設けることにより、使用中すべらず又手指からはずれることなくしっかりと馴染み、ペーパー類を使用したりして掴み取る動作は、手指の動きを制限することなくポリ手袋同様に行うことができる。
いわば、本発明のポリ袋１枚だけでポリ袋とポリ手袋の機能を併せ持ち、手を汚すことなく清潔に、しかも一連の１つの動作で短時間かつ簡便に煩わしさもなく糞や汚物処理のできるポリ袋であり、今までにない新しい使い方のできるポリ袋である。
糞取り指先ポリ袋は犬の糞取りに、汚物取り手先ポリ袋及び汚物取り指先ポリ袋はその他の汚物取りに適していると思われるが、個々の好みで使い分けることができる。
【発明を実施するための最良の形態】
【０００６】  本発明の形態を説明する。図１は、糞取り指先ポリ袋であり、図３（ａ）は、汚物取り手先ポリ袋である。図３（ｂ）は、汚物取り指ポリ袋を示している。
図上部の指先部分が袋の底部、図下部が袋の入れ口である。図１の糞取り指先ポリ袋は指の第２関節より先の部分が入るようにかたち作ってある。その理由は、犬の糞をつまみ掴む指の動作は、第２関節より先の動きがあれば十分であるためで、指間は水かき状に残すことで指の間から糞がこぼれにくくするためである。
図３（ａ）の汚物取り手先ポリ袋は、指全体と手の一部をかたち作ってある。その理由は、汚物等をかき寄せ掴む時、素手で行う時と同様の手指の動きができるようにしたもので、よりポリ手袋の機能が備わったものである。しかも手の一部で手首部分を設けなかったことにより脱ぎ易くしたものである。
図３（ｂ）の汚物取り指ポリ袋は、５本指の付け根より先の指部分全部をかたち作ってある。その理由は、汚物取り手先ポリ袋と同様の手指の機能までは必要ないが、糞取り指先ポリ袋より、より指の機能を必要とする汚物処理を行い易くするためであり、又、糞取り指先ポリ袋ほどではないが、汚物取り手先ポリ袋より汚物を掴みこみ易くしたものである。
包み込む材質は、手になじみ易い半透明のポリエチレンや滑り止め加工を施したポリエチレンを使用し、厚さは、０．０１〜０．０２（ミリメートル）のものが適当である。
大きさは、図１糞取り指先ポリ袋は、横２５０×縦３５０（ミリメートル）、図３（ａ）汚物取り手先ポリ袋は、横２５０×縦４５０（ミリメートル）、図３（ｂ）汚物取り指ポリ袋は、横２５０×縦４００（ミリメートル）を標準サイズとする。（指先、手先及び指部分のサイズはフリーサイズとする。）なお、用途に応じて指先、手先及び指部分以外の袋部分を大きくしたサイズを数種類作る。
【実施例１】
【０００７】  本発明の実施例１を説明する。図２は、図１の糞取り指先ポリ袋１０を使用して犬の糞を取る方法の説明図である。まず、図２（ａ）に示すように、手１２を糞取り指先ポリ袋１０の入れ口より入れ、指先を糞取り指先ポリ袋１０の指部分に合わせて差し入れる。１１は犬の糞である。
図２（ｂ）は、糞取り指先ポリ袋１０に差し入れた手１２で、糞取り指先ポリ袋１０ごと必要に応じペーパーを使用し、犬の糞１１を掴んだ図である。
図２（ｃ）は、次に掴んだ犬の糞１１を握ったまま、もう片方の手で軽く糞取り指先ポリ袋１０の入れ口を持ち、内側と外側をひっくり返しながら、そのまま握った手１２を引き抜いている図である。最後に、図２（ｄ）のように、糞取り指先ポリ袋１０に犬の糞１１が収まったら握った手１２をゆるめてはずすことで、一連の一つの動作で簡単に犬の糞を糞取り指先ポリ袋に取り入れることができる。
【実施例２】
【０００８】  本発明の実施例２を説明する。図４は、図３（ａ）汚物取り手先ポリ袋１３の使用方法の説明図である。図４（ａ）は、吐瀉物１５をペーパー１４を持ちかき寄せようとしているところである。まず、手１２を汚物取り手先ポリ袋１３の入れ口より入れ、手先を汚物取り手先ポリ袋１３の手先部分に合わせて差し入れることにより、汚物取り手先ポリ袋１３を手に装着した状態になる。装着したままペーパー１４を持つ。
図４（ｂ）は、持ったペーパー１４を使用して吐瀉物１５をかき寄せふき取っているところである。図４（ｃ）では、ふき取った吐瀉物１５をペーパー１４ごと握る。次に、図４（ｄ）は、吐瀉物１５とペーパー１４を握ったまま、もう片方の手で軽く汚物取り手先ポリ袋１３の入れ口を持ち、内側と外側をひっくり返しながら握った手１２を引き抜いている図である。
最後に、図４（ｅ）のように汚物取り手先ポリ袋１３に吐瀉物１５とペーパー１４が収まったら、握った手１２を緩めてはずすことで、手を汚すことなく簡単に吐瀉物等の汚物を処理することができる。なお、図３（ｂ）の汚物取り指ポリ袋１６の使用方法は、図３（ａ）の汚物取り手先ポリ袋１３の使用方法と同様である。
【産業上の利用可能性】
【０００９】  糞取り及び汚物取りとしての実施例を説明してきたが、他の利用例として、寝たきりの人のオムツ交換時の手の保護と、汚れた紙オムツの処理、あるいは、ポリ手袋機能と脱ぎ易さを利用して台所での生ゴミ処理や糠味噌の手入れ、又は、スーパーで個々の客が、魚の切り身等のバラ売りをポリ袋に移し入れる時など、使い方しだいで多目的に用途を広げることができる。
【図面の簡単な説明】
【００１０】
【図１】  本発明の糞取り指先ポリ袋の平面図である。
【図２】  本発明の糞取り指先ポリ袋の使用方法を示す説明図である。
【図３】  （ａ）本発明の汚物取り手先ポリ袋の平面図である。（ｂ）本発明の汚物取り指ポリ袋の平面図である。
【図４】  本発明の汚物取り手先ポリ袋の使用方法を示す説明図である。
【符号の説明】
【００１１】              １０−−−糞取り指先ポリ袋    １１−−−犬の糞
１２−−−人の手              １３−−−汚物取り手先ポリ袋
１４−−−ペーパー            １５−−−吐瀉物
１６−−−汚物取り指ポリ袋
【図１】
2005095116.tif 000003
【図２】
2005095116.tif 000004
【図３】
2005095116.tif 000005
【図４】
2005095116.tif 000006